(57)【要約】【課題】撮影パラメータを設定する場合に、ユーザーが目的とする撮影パラメータを容易に設定できるようにする。【解決手段】撮影を行う場合の撮影条件を示す撮影パラメータの設定値を変更して撮影を行うことが可能な撮影装置１００であって、撮影パラメータの設定値と、撮影パラメータの設定値を用いて撮影された画像とを関連付けて記憶する記憶部１０５，１０６，１０７と、少なくとも画像を表示する表示部１１０と、撮影パラメータの設定値をユーザーが指定するための指定部１０９と、ユーザが指定部により撮影パラメータの設定値を指定することに応じて、指定された撮影パラメータの設定値に関連付けて記憶部に記憶されている画像である記憶画像を表示部に表示させるように記憶部と表示部とを制御する制御部１０２とを具備する。【選択図】図１
2008011263.tif 000002
【特許請求の範囲】
【請求項１】
撮影を行う場合の撮影条件を示す撮影パラメータの設定値を変更して撮影を行うことが可能な撮影装置であって、
前記撮影パラメータの設定値と、該撮影パラメータの設定値を用いて撮影された画像とを関連付けて記憶する記憶手段と、
少なくとも画像を表示する表示手段と、
前記撮影パラメータの設定値をユーザーが指定するための指定手段と、
ユーザーが前記指定手段により前記撮影パラメータの設定値を指定することに応じて、前記指定された撮影パラメータの設定値に関連付けて前記記憶手段に記憶されている画像である記憶画像を前記表示手段に表示させるように前記記憶手段と前記表示手段とを制御する制御手段と、
を具備することを特徴とする撮影装置。
【請求項２】
前記表示手段に前記記憶画像を表示するための表示方法を選択する表示方法選択手段をさらに具備することを特徴とする請求項１に記載の撮影装置。
【請求項３】
前記表示方法選択手段は、１つの前記記憶画像を、前記表示手段の画面全体に表示するか、前記表示手段の画面の一部に縮小表示するかを選択可能であることを特徴とする請求項２に記載の撮影装置。
【請求項４】
前記表示方法選択手段は、前記記憶画像が複数存在する場合に、前記表示手段の１画面に一定数の前記記憶画像を一覧表示するように、前記表示方法を選択可能であることを特徴とする請求項２に記載の撮影装置。
【請求項５】
前記記憶手段は、前記撮影装置に対して着脱可能であることを特徴とする請求項１に記載の撮影装置。
【請求項６】
前記撮影パラメータの設定値とは、複数の撮影条件の設定値のセットであることを特徴とする請求項１に記載の撮影装置。
【請求項７】
前記記憶手段を複数有し、該複数の記憶手段間で、前記撮影パラメータの設定値と、該撮影パラメータの設定値に関連付けられた画像とをコピー可能であることを特徴とする請求項１に記載の撮影装置。
【請求項８】
撮影を行う場合の撮影条件を示す撮影パラメータの設定値を変更して撮影を行うことが可能な撮影装置であり、且つ、前記撮影パラメータの設定値と、該撮影パラメータの設定値を用いて撮影された画像とを関連付けて記憶する記憶手段と、少なくとも画像を表示する表示手段と、前記撮影パラメータの設定値をユーザーが指定するための指定手段とを備える撮影装置を制御する方法であって、
ユーザーが前記指定手段により前記撮影パラメータの設定値を指定することに応じて、前記指定された撮影パラメータの設定値に関連付けて前記記憶手段に記憶されている画像である記憶画像を前記表示手段に表示させるように前記記憶手段と前記表示手段とを制御する制御工程を具備することを特徴とする撮影装置の制御方法。
【請求項９】
請求項８に記載の制御方法をコンピュータに実行させることを特徴とするプログラム。
【請求項１０】
請求項９に記載のプログラムを記憶したことを特徴とするコンピュータ読み取り可能な記憶媒体。
【発明の詳細な説明】
【技術分野】
【０００１】
本発明は、撮影装置における撮影パラメータの設定の容易化を図る技術に関するものである。
【背景技術】
【０００２】
従来より、複数の撮影パラメータ（例えば、ホワイトバランス、シャッタースピード、絞り値、測光方式等）を任意に設定して撮影することが可能な撮影装置は存在している。しかし、撮影パラメータは多種多様に存在し、全ての値を撮影の度に逐一撮影者が手作業にて設定することは撮影者に多大な作業負担をかけることになっていた。
【０００３】
そのため、複数ある撮影パラメータの各々の値を一つの撮影設定情報として記憶し、後に記憶した撮影設定情報を任意に読み出すことにより記憶時の全てのパラメータを撮影装置に設定可能とする技術が知られている。
【０００４】
また、撮影の際に撮影した画像データに撮影パラメータ情報を内包して記憶し、後に撮影パラメータ情報を内包した画像データを選択することにより、内包される撮影パラメータ情報を撮影装置に設定し、作業の簡易化を図る技術は存在していた（特許文献１）。
【０００５】
特許文献１では、撮影時の撮影装置の撮影設定情報を撮影画像に関連付けて記憶しておき、画像を再生するモードにおいて、「撮影条件を再生画面から設定する」を選択することにより、記憶されている画像一覧を表示する。表示された画像一覧からユーザーが１枚の画像を選択すると、選択された画像に関連付けられている撮影設定情報が撮影装置に設定され、撮影モードに遷移する。
【特許文献１】特開２００２−０１０１３４号公報
【発明の開示】
【発明が解決しようとする課題】
【０００６】
しかしながら、上記の従来技術のうち、前者の方法では、撮影設定情報を設定する際に、それらの設定で撮影画像がどのように変化するのかが判断しにくいという問題がある。
【０００７】
また、後者のように、撮影設定情報を画像に関連付けて記憶する方法では、撮影設定情報を選び出すために撮影済みの画像をいちいち表示させて参照しなけらばならず、撮影済みの画像が多くある場合非常に時間がかかってしまうという問題がある。
【０００８】
従って、本発明は上述した課題に鑑みてなされたものであり、その目的は、撮影パラメータを設定する場合に、ユーザーが目的とする撮影パラメータを容易に設定できるようにすることである。
【課題を解決するための手段】
【０００９】
上述した課題を解決し、目的を達成するために、本発明に係わる撮影装置は、撮影を行う場合の撮影条件を示す撮影パラメータの設定値を変更して撮影を行うことが可能な撮影装置であって、前記撮影パラメータの設定値と、該撮影パラメータの設定値を用いて撮影された画像とを関連付けて記憶する記憶手段と、少なくとも画像を表示する表示手段と、前記撮影パラメータの設定値をユーザーが指定するための指定手段と、ユーザーが前記指定手段により前記撮影パラメータの設定値を指定することに応じて、前記指定された撮影パラメータの設定値に関連付けて前記記憶手段に記憶されている画像である記憶画像を前記表示手段に表示させるように前記記憶手段と前記表示手段とを制御する制御手段と、を具備することを特徴とする。
【００１０】
また、本発明に係わる撮影装置の制御方法は、撮影を行う場合の撮影条件を示す撮影パラメータの設定値を変更して撮影を行うことが可能な撮影装置であり、且つ、前記撮影パラメータの設定値と、該撮影パラメータの設定値を用いて撮影された画像とを関連付けて記憶する記憶手段と、少なくとも画像を表示する表示手段と、前記撮影パラメータの設定値をユーザーが指定するための指定手段とを備える撮影装置を制御する方法であって、
ユーザーが前記指定手段により前記撮影パラメータの設定値を指定することに応じて、前記指定された撮影パラメータの設定値に関連付けて前記記憶手段に記憶されている画像である記憶画像を前記表示手段に表示させるように前記記憶手段と前記表示手段とを制御する制御工程を具備することを特徴とする。
【００１１】
また、本発明に係わるプログラムは、上記の制御方法をコンピュータに実行させることを特徴とする。
【００１２】
また、本発明に係わる記憶媒体は、上記のプログラムを記憶したことを特徴とする。
【発明の効果】
【００１３】
本発明によれば、撮影パラメータを設定する場合に、ユーザーが目的とする撮影パラメータを容易に設定できるようにすることが可能となる。
【発明を実施するための最良の形態】
【００１４】
以下、本発明の好適な一実施形態について、添付図面を参照して詳細に説明する。
【００１５】
本実施形態は、撮影時に撮影装置の撮影パラメータ情報を撮影画像に関連付けて記憶しておき、後に画像を再生するモードにおいて、特定の撮影パラメータを指定することにより、過去にその撮影パラメータで撮影された画像を検索して表示するものである。検索された１つまたは複数の画像は、一覧表示、縮小表示、あるいは１枚ごとに表示装置の画面全体に表示するといった幾つかの表示形態からユーザーが希望に応じて表示形態を選択して表示させることができる。
【００１６】
なお、撮影装置の撮影パラメータ情報とは、複数の撮影パラメータ（例えば、ホワイトバランス、シャッタースピード、絞り値、測光方式等の撮影条件）の各々の設定値を一つの撮影パラメータセットとしてまとめたものである。撮影装置には、この撮影パラメータセットが複数種類記憶されており、ユーザーはそれらの撮影パラメータセットから１つの撮影パラメータセットを指定する。このように、ユーザーが特定の撮影パラメータセットを指定したとき、その撮影パラメータセットを用いて過去に撮影された画像が表示されるので、ユーザーはその撮影パラメータセットを用いたときにどのような画像が撮影されるのかを容易に確認することができる。そのため、ユーザーはその撮影パラメータセットを採用すべきか否かを容易に判断することが可能となる。
【００１７】
以下、本実施形態について具体的に説明する。
【００１８】
図１は、本発明の一実施形態に係わる撮影装置１００の概略構成を示すブロック図である。
【００１９】
図１において、１０１は、撮像動作を行う撮像部である。１０２は、各部の動作を制御するＣＰＵである。また、ＣＰＵ１０２は、撮影パラメータセットと画像データの関連付けを行うパラメータセット関連制御、複数の記憶媒体が存在する場合に、記憶媒体間で撮影パラメータセットをコピーする記憶媒体間コピー制御も行う。さらに、撮影パラメータセットを記憶するパラメータセット記憶制御、後述する表示部への表示を行う表示制御等の処理もＣＰＵ１０２が行う。
【００２０】
１０３は、ＣＰＵ１０２がワーキングエリアとして使用するＲＡＭである。ＲＡＭ１０３は撮像部の制御に使用される撮像用各種パラメータを記憶しておく一時メモリとしても使用される。
【００２１】
１０４は、撮像部１０１、ＣＰＵ１０２、ＲＡＭ１０３、後述する記憶媒体等を接続するデータＢＵＳである。
【００２２】
１０５は、撮影パラメータセットを記憶する記憶媒体Ａである。この記憶媒体Ａは、本実施形態では撮影装置１００に対して着脱不能であるが、着脱可能に構成してもよい。また、後述する画像記憶媒体１０７と同一の記憶媒体としてもよい。
【００２３】
１０６は、撮影パラメータセットを記憶する着脱可能な記憶媒体Ｂである。後述する着脱装置により撮影装置１００に接続される。この記憶媒体Ｂは、本実施形態では独立した記憶媒体としているが、後述する画像記憶媒体１０７と同一の記憶媒体として構成してもよい。また、記憶媒体Ｂ（１０６）が存在しない場合も考えられる。
【００２４】
１０７は、撮像部１０１によって撮像された画像データを記憶する画像記憶媒体である。本実施形態では撮影装置１００に対して着脱可能であるが、着脱不能に構成してもよい。
【００２５】
１０８は、記憶媒体Ｂ（１０６）及び画像記憶媒体１０７等の着脱可能な記憶媒体を撮影装置に取り付けるための着脱装置である。
【００２６】
１０９は、撮影装置１００の操作を行うための操作部１０９である。なお操作をする手段としては、スイッチ、タッチパネル等を用いることができる。操作部１０９には、複数ある撮影パラメータセットから一つを選択するパラメータセット選択部、選択した撮影パラメータセットを撮像部１０９に反映させるパラメータセット決定部が含まれる。また、表示方法を切り替える表示方法選択部、表示中の画像を別の画像に切り替える画像選択部、複数の記憶媒体がある場合に、操作する記憶媒体を指定する記憶媒体選択部等も含まれる。
【００２７】
１１０は、撮像部１０１によって撮像された画像、画像記憶媒体１０７に記憶されている画像、ＣＰＵ１０２より出力されるメニューや警告、等を表示する液晶パネル等からなる表示部である。
【００２８】
次に本実施形態の撮影装置における、撮影パラメータセット選択時の画像表示処理について図２乃至図１６を参照して説明する。
【００２９】
まず、図２において、ＣＰＵ１０２が操作部１０９内のパラメータセット選択部により撮影パラメータセットが指定されることを監視する（ステップＳ２０１）。操作部１０９内のパラメータセット選択部が操作されると、複数存在する撮影パラメータセットより一つを選択することを要求する処理が発生する。
【００３０】
図７は表示部１１０に表示される画面の一例を示した図である。図７に示されるような画面を見ながら、ユーザーは操作部１０９に備えられてる△▽キーを用いて画面に表示されるパラメータセット１〜４の何れかを選択する。選択されない限りその先の処理は実行されずステップＳ２０１を繰り返し実行する。図７では、パラメータセット３が指定されたことを示しており、この指定によりステップＳ２０２へ遷移する。
【００３１】
ＣＰＵ１０２は、予めＲＡＭ１０３に記憶させておいた情報に基づいて、ステップＳ２０１にて指定された撮影パラメータセットに関連付けられた画像を優先取得する記憶媒体を判断する（ステップＳ２０２）。このとき、画像を優先取得する記憶媒体がステップＳ２０１にて選択した撮影パラメータセットが記憶されている記憶媒体と同一である場合（例えば記憶媒体Ｂ（１０６））、ステップＳ２０３へ、画像記憶媒体１０７の場合ステップＳ２０４に遷移する。指定された撮影パラメータセットに対する関連付けられた画像とは、指定された撮影パラメータセットに含まれる撮影パラメータと同一、あるいは、類似する設定値の撮影パラメータにて撮影された画像のことである。例えば、測光方式、フラッシュの有無、および、撮影モードが一致しており、シャッタースピード、および、絞り値が１／２段以内に収まっている条件で撮影された画像が考えられる。この類似とみなす範囲は１／２段に限られるものでもなく、１／３段でも、１段でも構わないし、フラッシュの有無や測光方式については判定の対象としなくとも構わない。あるいは、どの撮影条件に着目するかをユーザーが自由に設定できるように構成しても構わない。さらに、これらの撮影条件に限らず、得られた画像のシャープネス、コントラスト、色の濃さ、あるいは、色あい等の画像処理の調節レベルも撮影パラメータに含め、各パラメータが一致、あるいは、所定の範囲内に収まっているかを判定する構成としてもよい。
【００３２】
図８は指定した撮影パラメータセットに関連付けられた画像を優先取得する記憶媒体の設定画面の一例を示す図である。図８に示されるような画面を見ながら、ユーザーは操作部１０９の△▽キー、及び決定キー（図８左側）を用いて操作を行う。本処理は、図２のフローチャートを実行する前に予め行われ、ここで設定された優先する記憶媒体の情報はＲＡＭ１０３に記憶されステップＳ２０２にて使用される。
【００３３】
ステップＳ２０３では、ＣＰＵ１０２は、ステップＳ２０１にて指定された撮影パラメータセットに関連付けられた画像を取得する記憶媒体をステップＳ２０１にて指定された撮影パラメータセットが記憶されている記憶媒体（例えば記憶媒体Ｂ）に設定する。そして、ステップＳ２０５に遷移する。
【００３４】
ステップＳ２０４では、ＣＰＵ１０２は、ステップＳ２０１にてコピーを実施した撮影パラメータセットに関連付けられた画像を取得する記憶媒体を画像記憶媒体１０７に設定し、ステップＳ２０５に遷移する。なお、ユーザーからの指示があった場合のみステップＳ２０２を実行させ、ユーザーからの指示がない場合はステップＳ２０２ないしＳ２０４をとばす構成としても構わない。
【００３５】
ＣＰＵ１０２は、ステップＳ２０３もしくはステップＳ２０４の処理にて設定された記憶媒体内に、ステップＳ２０１で指定された撮影パラメータセットに関連付けられた画像が存在するか否かを確認する（ステップＳ２０５）。画像が存在した場合ステップＳ２０８へ、存在しなかった場合はステップＳ２０６へ遷移する。
【００３６】
ステップＳ２０６では、ＣＰＵ１０２は、ステップＳ２０５の処理にて確認を実施した記憶媒体と異なる記憶媒体内に、ステップＳ２０１で指定された撮影パラメータセットに関連付けられた画像が存在するか否かを確認する。画像が存在した場合ステップＳ２０７へ、存在しなかった場合は本処理を終了する。
【００３７】
ステップＳ２０７では、ＣＰＵ１０２は、ステップＳ２０１にて指定された撮影パラメータセットに関連付けられた画像を取得する記憶媒体を、ステップＳ２０３もしくはステップＳ２０４の処理にて設定した記憶媒体から別の記憶媒体に変更する。
【００３８】
図２の例では、ステップＳ２０３の処理後、ステップＳ２０７が実施された場合、ステップＳ２０１にて指定された撮影パラメータセットに関連付けられた画像を取得する記憶媒体を、例えば記憶媒体Ｂから画像記憶媒体１０７に変更することになる。
【００３９】
ステップＳ２０８では、ＣＰＵ１０２は、ステップＳ２０２にて選択された撮影パラメータセットに対する関連付けられた画像を表示部１１０に表示する方法を識別する。ステップＳ２０８の処理では、予め指定された表示方法の情報をＲＡＭ１０３に記憶させておき、それを参照することにより後述する一覧表示処理、縮小表示処理、全画面表示処理に遷移する。なお、予め表示方法を指定する処理は操作部１０９内の表示方法選択部を操作することにより実施される。
【００４０】
図９は表示部１１０に表示される画面の一例を示す図である。図９に示されるような画面を見ながら、ユーザーは操作部１０９に備えられてる△▽キーを用いて画面に表示される全画面表示、縮小表示、一覧表示の何れかを選択する。図９では一覧表示を指定した場合を示している。図９に示す操作にて表示方法が選択されていない場合、ステップＳ２０８では初期値に従い表示方法を決定する。初期値に関しては、任意に決めておけばよい。
【００４１】
図２のステップＳ２０９、Ｓ２１０、Ｓ２１１は、表示部１１０にステップＳ２０１にて指定された撮影パラメータセットに関連付けられた画像を表示する処理である。それぞれの詳細は後述する図３、図４、図５に記載する。そしてステップＳ２１２では、Ｓ２０９、Ｓ２１０、Ｓ２１１のいずれかで決定された撮影パラメータセットのうち、フラッシュを除く撮影パラメータを実際に反映させ、得られたモニター用の画像を表示装置に表示する。これにより、その撮影パラメータセットを選択することによって、現在の被写体がどのように撮影されるのかをユーザーが表示装置で確認することができる。このとき得られた画像がユーザーの意図に沿っていないようであれば、ユーザーは再び撮影パラメータセットの選択をやりなおせばよい。
【００４２】
次に、図９に示す画面において一覧表示を選択した場合に、図２のステップＳ２０８より遷移する図２のステップＳ２０９について図３を参照して説明する。
【００４３】
まずステップＳ３０１において、ＣＰＵ１０２は図２のステップＳ２０５あるいはステップＳ２０７において画像取得先媒体として設定された記憶媒体から選択された撮影パラメータセットに対する関連付けられた画像の情報を取得し、一覧表示の基準となる画像を設定する。基準となる画像の選考基準は特に問わないが、取得された画像のうち、選択された撮影パラメータセットに対して最も一致する度合いが高い撮影パラメータの組合せを有する画像を選択する方法が考えられる。あるいは、例えばファイル名、ファイルの作成日時などを考慮する方法が考えられる。
【００４４】
ステップＳ３０２では、ＣＰＵ１０２は、ステップＳ３０１にて設定された基準となる画像より順次一覧表示を実施し、ステップＳ３０３に遷移する。図１０は表示部１１０に表示される画面の一例を示す図である。
【００４５】
ステップＳ３０３では、ＣＰＵ１０２は、ステップＳ３０２にて表示するべき画像枚数が表示部１１０で一覧表示として表示する最大数を超過しているか判別する。超過している場合はステップＳ３０４へ、超過していない場合はステップＳ３０７に遷移する。
【００４６】
ステップＳ３０４では、ＣＰＵ１０２は、表示部１１０に対し、複数の一覧画面があることを表示させ、ステップＳ３０５に遷移する。
【００４７】
図１１は表示部１１０に表示される画面の一例を示す図である。図１１では、表示部１１０に表示されている一覧表示に、左右を示すカーソルと、操作部１０９により左右を選択することが可能であることを示す左右キーの表示を追加表示することにより複数の一覧画面があることを示している。なお操作部１０９の左右キー（図１１左側）を操作することにより、表示されている前後の画像の一覧表示画面を表示させる。
【００４８】
ステップＳ３０５では、ＣＰＵ１０２は、操作部１０９内の画像選択部により表示ページの切替が指示されることを監視する。ページ切替指示がある場合ステップＳ３０６へ、指示がない場合ステップＳ３０７に遷移する。
【００４９】
ステップＳ３０６では、ＣＰＵ１０２は、切り替えたページの先頭となる画像を設定し、その画像を先頭に新たな一覧表示画面を表示部１１０に表示させる。切り替えたページの先頭となる画像は、特別に理由がない限りステップＳ３０１で決定した基準となる画像から表示部１１０で一覧表示として表示できる最大数の整数倍を加算もしくは減算した位置にある画像となる。
【００５０】
ステップＳ３０７では、ＣＰＵ１０２は、ＣＰＵ１０２内のパラメータセット決定部の操作を監視する。パラメータセット決定部により、撮影パラメータセットが決定された場合ステップＳ３０８に、未決定の場合はステップＳ３０３に遷移する。
【００５１】
ステップＳ３０８では、ＣＰＵ１０２は、表示部１１０に表示されている一覧表示を終了する（ステップＳ３０８）。
【００５２】
次に、図９にて縮小表示を選択した場合に、図２のステップＳ２０８より遷移する図２のステップＳ２１０について図４を参照して説明する。
【００５３】
まずステップＳ４０１において、ＣＰＵ１０２は図２のステップＳ２０５あるいはステップＳ２０７において画像取得先媒体として設定された記憶媒体から選択された撮影パラメータセットに対する関連付けられた画像の情報を取得し、縮小画像として表示する１つの画像を設定する。表示する画像の選考基準は特に問わないが、取得された画像のうち、選択された撮影パラメータセットに対して最も一致する度合いが高い撮影パラメータの組合せを有する画像を選択する方法が考えられる。あるいは、例えばファイル名、ファイルの作成日時などを考慮する方法も考えられる。
【００５４】
ステップＳ４０２では、ＣＰＵ１０２は、ステップＳ４０１や、後述するステップＳ４０６にて設定された画像を、表示部１１０に対して縮小画像として表示する。
【００５５】
図１２は表示部１１０に表示される画面の一例を示す図である。図１２の右下に表示される画像がステップＳ４０２にて表示された縮小画象である。図１２の画面全体に表示される画像は、撮像部１０１より得られた画像である。
【００５６】
ステップＳ４０３では、ＣＰＵ１０２は、図２のステップＳ２０５あるいはステップＳ２０７において画像取得先媒体として設定された記憶媒体から取得して表示する画像を基準となる画像のみとするか、ユーザーが任意に選択する画像とするかを判断する。なお、基準となる画像のみの場合ステップＳ４０７へ、ユーザーが任意に選択する場合、ステップＳ４０４に遷移する。
【００５７】
図１３は表示部１１０に表示される画面の一例を示す図である。図１３に示されるような画面を見ながら、ユーザーは表示する画像を基準となる画像のみとするか、ユーザーが任意に切り替えるかを選択する。
【００５８】
ステップＳ４０４では、ＣＰＵ１０２は、表示部１１０に対し、現在表示している画像以外の画像があることを表示させ、ステップＳ４０５に遷移する。
【００５９】
図１４は表示部１１０に表示される画面の一例を示す図である。図１４では、操作部１０９により左右を選択することが可能であることを示す左右キーの表示を表示部１１０に追加表示することで、複数の縮小画として表示可能な画像があることを示している。
【００６０】
ステップＳ４０５では、ＣＰＵ１０２は、操作部１０９により現在表示中の画像以外の表示が要求されることを監視する。変更の要求がある場合ステップＳ４０６へ、要求がない場合はステップＳ４０７へ遷移する。
【００６１】
ステップＳ４０６では、ＣＰＵ１０２は、ステップＳ４０５における画像の変更要求に従い、表示部１１０に表示する画像を設定する。本実施形態では、操作部１０９の左右キー（図１４左側）の右キーを押下すると基準となる画像から増加方向にある画像を、左キーにて減少方向の画像を表示用画像に設定する。増加もしくは減少方向とは、図２のステップＳ２０５あるいはステップＳ２０７において画像取得先媒体として設定された記憶媒体内の画像情報によるもので、画像のファイル名やファイル作成日時などの特定の値に着目して列挙した場合の増加／減少方向である。列挙方法はここでは特に指定しない。ステップＳ４０６にて設定された画像は、ステップＳ４０２にて表示部１１０に表示される。
【００６２】
ステップＳ４０７では、ＣＰＵ１０２は、操作部１０９内のパラメータセット決定部の操作を監視する。パラメータセット決定部により、撮影パラメータセットが決定された場合ステップＳ４０８に、未決定の場合はステップＳ４０２に遷移する。
【００６３】
ステップＳ４０８では、ＣＰＵ１０２は、表示部１１０に表示されている縮小画像表示を終了する。
【００６４】
次に、図９にて画面全体表示を選択した場合に、図２ステップＳ２０８より遷移する図２のステップＳ２１１について図５を参照して説明する。
【００６５】
まず、ステップＳ５０１において、ＣＰＵ１０２は図２のステップＳ２０５あるいはステップＳ２０７において画像取得先媒体として設定された記憶媒体から選択された撮影パラメータセットに対する関連付けられた画像の情報を取得し、画面全体表示を行う１つの画像を設定する。表示する画像の選考基準は特に問わないが、取得された画像のうち、選択された撮影パラメータセットに対して最も一致する度合いが高い撮影パラメータの組合せを有する画像を選択する方法が考えられる。あるいは、例えばファイル名、ファイルの作成日時などを考慮する方法も考えられる。
【００６６】
ステップＳ５０２では、ＣＰＵ１０２は、ステップＳ５０１や、後述するステップＳ５０６にて設定された画像を、表示部１１０の画面全体に表示する。
【００６７】
図１５は表示部１１０に表示される画面の一例を示す図である。
【００６８】
ステップＳ５０３では、ＣＰＵ１０２は、図２のステップＳ２０５あるいはステップＳ２０７において画像取得先媒体として設定された記憶媒体から取得して表示する画像を基準となる画像のみとするか、ユーザーが任意に選択する画像とするかを判断する。なお、基準となる画像のみの場合ステップＳ５０７へ、ユーザーが任意に選択する場合、ステップＳ５０４に遷移する。
【００６９】
図１６は表示部１１０に表示される画面の一例を示すである。図１６に示されるような画面を見ながら、ユーザーは表示する画像を基準となる画像のみとするか、ユーザーが任意に切り替えるかを選択する。
【００７０】
ステップＳ５０４では、ＣＰＵ１０２は、表示部１１０に対し、現在表示している画像以外の画像があることを表示させ、ステップＳ５０５に遷移する。
【００７１】
図１６は表示部１１０に表示される画面の一例を示す図である。図１６では、操作部１０９により左右を選択することが可能であることを示す左右キーの表示を表示部１１０に追加表示することで、複数の画面全体に表示可能な画像があることを示している。
【００７２】
ステップＳ５０５では、ＣＰＵ１０２は、操作部１０９より現在表示中の画像以外の表示が要求されることを監視する。変更の要求がある場合ステップＳ５０６へ、要求がない場合はステップＳ５０７へ遷移する。
【００７３】
ステップＳ５０６では、ＣＰＵ１０２は、ステップＳ５０５にて要求された画像の変更要求に従い、表示部１１０に表示する画像を設定する。本実施形態では、操作部１０９の左右キー（図１６左側）の右キーを押下すると基準となる画像から増加方向にある画像を、左キーにて減少方向の画像を表示用画像に設定する。増加もしくは減少方向に関する説明は図４のステップＳ４０６の説明と同様であるため、ここでの説明は省略する。ステップＳ５０６にて設定された画像は、ステップＳ５０２にて表示部１１０に表示される。
【００７４】
ステップＳ５０７では、ＣＰＵ１０２は、操作部１０９内のパラメータセット決定部の操作を監視する。パラメータセット決定部により、撮影パラメータセットが決定された場合ステップＳ５０８に、未決定の場合はステップＳ５０２に遷移する。
【００７５】
ステップＳ５０８では、ＣＰＵ１０２は、表示部１１０に表示されている画面全体表示を終了する。
【００７６】
以上説明した処理を実行することにより、本実施形態における撮影装置のパラメータセット選択時の画像表示処理が終了する。
【００７７】
次に本実施形態の撮影装置における、記憶媒体間において撮影パラメータセットと撮影パラメータセットに関連付けられた画像をコピーする処理について、図６、図８、図１７乃至図２０を参照して説明する。
【００７８】
まず、図６のステップＳ６０１において、ＣＰＵ１０２は、撮影パラメータセットの記憶媒体間コピーが実施されるか監視を行う。撮影パラメータセットのコピー処理は、操作部１０９を操作することにより撮影パラメータセットコピーに関するメニューより実施することができる。
【００７９】
図１７Ａ乃至図１７Ｃは、表示部１１０に表示される画面の一例を示す図である。
【００８０】
図１７Ａはコピーする撮影パラメータセットが記憶されている記憶媒体を選択する画面の一例を示す図である。操作部１０９の△▽キー（図１７Ａ左側）を操作することにより記憶媒体を選択し、決定キーを操作することにより選択した記憶媒体をコピー元の記憶媒体として確定する。
【００８１】
図１７Ｂはコピーを実施する撮影パラメータセットの選択画面の一例を示す図である。操作部１０９の△▽キー（図１７Ｂ左側）を操作することによりコピーを実施する撮影パラメータセットを選択し、決定キーを操作することにより選択した撮影パラメータセットがコピー対象であることを確定する。
【００８２】
図１７Ｃは撮影パラメータセットのコピー先の記憶媒体を選択する画面の一例を示す図である。操作部１０９の△▽キー（図１７Ｃ左側）を操作することによりコピー先の記憶媒体を選択し、決定キーを操作することによって、選択した記憶媒体に対し、コピー対象である撮影パラメータセットのコピー処理を開始する。
【００８３】
ステップＳ６０２では、ＣＰＵ１０２は、予めＲＡＭ１０３に記憶させておいた、ステップＳ６０１にてコピーを実施した撮影パラメータセットに関連付けられた画像を優先取得する記憶媒体の情報に基づき、遷移する状態を判断する（ステップＳ６０２）。なお、優先取得する記憶媒体がステップＳ６０１にてコピーした撮影パラメータセットのコピー元記憶媒体と同一である場合ステップＳ６０３へ、画像記憶媒体１０７の場合ステップＳ６０４に遷移する。
【００８４】
図８は表示部１１０に表示される画面の一例を示す図である。図８はコピーを実施した撮影パラメータセットに関連付けられた画像を優先取得する記憶媒体の設定画面例を示す図である。操作部１０９の△▽キー、及び決定キー（図８左側）にて操作を行う。この処理は、図６のフローチャートを実行する前に予め行われるものであり、ここで設定した優先する記憶媒体の情報はＲＡＭ１０３に記憶されステップＳ６０２にて使用される。
【００８５】
ステップＳ６０３では、ＣＰＵ１０２は、ステップＳ６０１にてコピーを実施した撮影パラメータセットに関連付けられた画像を取得する記憶媒体をコピーした撮影パラメータセットのコピー元記憶媒体に設定し、ステップＳ６０５に遷移する。
【００８６】
ステップＳ６０４では、ＣＰＵ１０２は、ステップＳ６０１にてコピーを実施した撮影パラメータセットに関連付けられた画像を取得する記憶媒体を画像記憶媒体１０７に設定し、ステップＳ６０５に遷移する。
【００８７】
ステップＳ６０５では、ＣＰＵ１０２は、ステップＳ６０３もしくはステップＳ６０４の処理にて設定された記憶媒体内に、ステップＳ６０１でコピーした撮影パラメータセットに関連付けられた画像が存在するか否かを確認する。画像が存在した場合ステップＳ６０８へ、存在しなかった場合はステップＳ６０６へ遷移する。
【００８８】
ステップＳ６０６では、ＣＰＵ１０２は、ステップＳ６０５の処理にて確認を実施した記憶媒体と異なる記憶媒体内に、ステップＳ６０１でコピーした撮影パラメータセットに関連付けられた画像が存在するか否かを確認する。画像が存在した場合ステップＳ６０７へ、存在しなかった場合はステップＳ６１１へ遷移する。
【００８９】
ステップＳ６０７では、ＣＰＵ１０２は、ステップＳ６０３もしくはステップＳ６０４の処理にて設定したステップＳ６０１にてコピーを実施した撮影パラメータセットに関連付けられた画像を取得する記憶媒体を別の記憶媒体に変更する。本実施形態では、ステップＳ６０３の処理の実施後、ステップＳ６０７が実施された場合、ステップＳ６０１にてコピーを実施した撮影パラメータセットに関連付けられた画像を取得する記憶媒体を画像記憶媒体１０７に設定することになる。
【００９０】
ステップＳ６０８では、ＣＰＵ１０２は、ステップＳ６０３、Ｓ６０４及びＳ６０７の処理にて設定された記憶媒体に、ステップＳ６０１にてコピーを実施した撮影パラメータセットに関連付けられた画像が複数存在するか確認する。存在する場合ステップＳ６０９へ、存在しない場合ステップＳ６１０へ遷移する。
【００９１】
ステップＳ６０９では、ＣＰＵ１０２は、ステップＳ６０８の処理にて確認された、ステップＳ６０１にてコピーを実施した撮影パラメータセットに関連付けられた複数の画像を表示部１１０に表示する。そして、操作部１０９の操作によりユーザーに処理の対象とする画像を選択させる。
【００９２】
図１８は表示部１１０に表示される画面の一例を示す図である。図１８はステップＳ６０９にて画像を選択する画面例を示す図である。操作部１０９の左右キー（図１８左側）を操作することにより画像を選択し、決定キーを操作することにより選択した画像を処理対象として確定する。
【００９３】
ステップＳ６１０では、ＣＰＵ１０２は、ステップＳ６０１にてコピーを実施した撮影パラメータセットに関連付けられた画像で且つコピー処理の実施を試みている画像のデータサイズとコピー先の記憶媒体の空き容量を比較する。比較結果が、画像サイズが記憶媒体容量より小さい場合ステップＳ６１１へ、大きい場合ステップＳ６１２へ遷移する。
【００９４】
ステップＳ６１１では、ＣＰＵ１０２は、ステップＳ６１０の処理にて比較処理を実施した画像と撮影パラメータセットを、ステップＳ６０３、６０４もしくは６０７の処理にて決定したコピー先記憶媒体にコピーし、処理を終了する。
【００９５】
ステップＳ６１２では、ＣＰＵ１０２は、表示部１１０にコピー先の容量が足りずにコピー処理が失敗した旨を表示し、処理を終了する。図１９は表示部１１０に表示される画面の一例を示す図である。
【００９６】
ステップＳ６１３では、ＣＰＵ１０２は、表示部１１０にコピー処理を行うべき画像が存在しなかった旨を表示し、処理を終了する。図２０は表示部１１０に表示される画面の一例を示す図である。
【００９７】
以上の処理により、撮影装置におけるコピーする撮影パラメータセットに関連付けられている画像コピー処理が完了する。
【００９８】
以上説明したように、本実施形態によれば、記憶媒体Ａに複数記憶されている撮影パラメータセットから一つを選択する。そして、指定した撮影パラメータセットにて以前撮影され、パラメータセット関連制御により関連付けられた画像記憶媒体内に記憶されている画像を検索して表示部に表示する。これにより、数値でしか確認出来なかった撮影パラメータセットを画像イメージで確認可能となり、選択の是非の判断を容易にすることができる。
【００９９】
更に、記憶媒体Ａ内に記憶されている撮影パラメータセットを記憶媒体Ｂにコピーする際に、パラメータセット関連制御によって関連付けられた画像記憶媒体内の画像を記憶媒体Ｂにコピーする。これにより、記憶媒体Ｂが交換された場合や、同様の機能を有する他の撮影装置に装着された場合でも、コピーされた撮影パラメータセットを選択する際にそれに対応する画像が表示可能となる。
【０１００】
更に、記憶媒体Ｂ内に記憶されている撮影パラメータセットを記憶媒体Ａにコピーする際に、パラメータセット関連制御によって関連付けられた画像記憶媒体内の画像を記憶媒体Ａにコピーする。これにより、画像記憶媒体が取り外された後も、コピーされた撮影パラメータセットを選択する際にそれに対応する画像が表示可能となる。
【０１０１】
更に、記憶媒体Ａ内に記憶されている撮影パラメータセットを記憶媒体Ｂにコピーする際に、パラメータセット関連制御によって関連付けられた記憶媒体Ａ内の画像を記憶媒体Ｂにコピーする。これにより、記憶媒体Ｂが交換された場合や、同様の機能を有する他の撮影装置に装着された場合でも、コピーされた撮影パラメータセットを選択する際にそれに対応する画像が表示可能となる。
【０１０２】
更に、記憶媒体Ｂ内に記憶されている撮影パラメータセットを記憶媒体Ａにコピーする際に、パラメータセット関連制御によって関連付けられた記憶媒体Ｂ内の画像を記憶媒体Ａにコピーする。これにより、画像記憶媒体が取り外された後も、コピーされた撮影パラメータセットを選択する際にそれに対応する画像が表示可能となる。
【０１０３】
更に、撮影パラメータセットをコピーする際に、パラメータセット関連制御により関連付けられた画像が複数ある場合、画像選択部により選択した画像を、撮影パラメータセットがコピーされる記憶媒体内にコピーする。これによりユーザーがより画像イメージとして適当と思われる画像を画像イメージとして選択可能となる。
【０１０４】
更に、パラメータ記憶媒体内の撮影パラメータセットを選択する際に、同一記憶媒体内にパラメータセット関連制御により関連付けられた画像が存在する場合、該当の画像を表示部に表示する。これによりユーザーが設定を試みる撮影パラメータセットに対してより多くの画像を参照し、撮影パラメータセットの選択が容易となる。
【０１０５】
更に、撮影パラメータセットを選択する際に表示される画像の表示方法を、表示方法選択部により選択可能とすることにより、ユーザーが好む撮影パラメータセットの適用を判断することが容易となる。
【０１０６】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【０１０７】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【０１０８】
本発明を上記記憶媒体に適用する場合、その記憶媒体には、先に説明した手順に対応するプログラムコードが格納されることになる。
【図面の簡単な説明】
【０１０９】
【図１】本発明の一実施形態に係わる撮影装置の概略構成を示すブロック図である。
【図２】本発明の一実施形態に係わる撮影装置の処理を示すフローチャートである。
【図３】本発明の一実施形態に係わる撮影装置の処理を示すフローチャートである。
【図４】本発明の一実施形態に係わる撮影装置の処理を示すフローチャートである。
【図５】本発明の一実施形態に係わる撮影装置の処理を示すフローチャートである。
【図６】本発明の一実施形態に係わる撮影装置の処理を示すフローチャートである。
【図７】複数ある撮影パラメータセットを選択する画面の一例を示す図である。
【図８】撮影パラメータセットに関する操作を実施する時に同時に取得するサンプル画像の取得先記憶媒体の優先順位を設定する画面の一例を示す図である。
【図９】撮影パラメータセット選択時に表示されるサンプル画像の表示方法を設定する画面の一例を示す図である。
【図１０】撮影パラメータセット選択時にサンプル画像を一覧表示にて表示する画面の一例を示す図である。
【図１１】撮影パラメータセット選択時にサンプル画像を一覧表示にて表示し、かつ別ページが存在する場合の表示画面の一例を示す図である。
【図１２】撮影パラメータセット選択時にサンプル画像を縮小画像表示にて表示する画面の一例を示す図である。
【図１３】サンプル画像の表示を代表となる１つのみとするか、複数画像を表示するかを設定する画面の一例を示す図である。
【図１４】撮影パラメータセット選択時にサンプル画像を縮小画像表示にて表示し、かつ別画像が存在する場合の表示例を示す図である。
【図１５】撮影パラメータセット選択時にサンプル画像を表示部全体に表示する画面の一例を示す図である。
【図１６】撮影パラメータセット選択時にサンプル画像を表示部全体に表示し、かつ別画像が存在する場合の表示例を示す図である。
【図１７Ａ】撮影パラメータセットコピー時のコピー元記憶媒体を選択する画面の一例を示す図である。
【図１７Ｂ】撮影パラメータセットコピー時のコピーする撮影パラメータセットを選択する際に表示表示される画面の一例を示す図である。
【図１７Ｃ】撮影パラメータセットコピー時のコピー先記憶媒体を選択する画面の一例を示す図である。
【図１８】コピーを実施した撮影パラメータセットに関連付けられた複数の画像から１つを選択する画面の一例を示す図である。
【図１９】撮影パラメータセットに関連付けられた画像をコピーする際に、記憶媒体の容量に関するエラーが発生した場合の表示例を示す図である。
【図２０】撮影パラメータセットに関連付けられた画像をコピーする際に、コピーの対象となる画像が存在しないエラーが発生した場合の表示例を示す図である。
【符号の説明】
【０１１０】
１０１  撮像部
１０２  ＣＰＵ
１０３  ＲＡＭ
１０４  データＢＵＳ
１０５  記憶媒体Ａ
１０６  記憶媒体Ｂ
１０７  画像記憶媒体
１０８  着脱装置
１０９  操作部
１１０  表示部
【図１】
2008011263.tif 000003
【図２】
2008011263.tif 000004
【図３】
2008011263.tif 000005
【図４】
2008011263.tif 000006
【図５】
2008011263.tif 000007
【図６】
2008011263.tif 000008
【図７】
2008011263.tif 000009
【図８】
2008011263.tif 000010
【図９】
2008011263.tif 000011
【図１０】
2008011263.tif 000012
【図１１】
2008011263.tif 000013
【図１２】
2008011263.tif 000014
【図１３】
2008011263.tif 000015
【図１４】
2008011263.tif 000016
【図１５】
2008011263.tif 000017
【図１６】
2008011263.tif 000018
【図１７Ａ】
2008011263.tif 000019
【図１７Ｂ】
2008011263.tif 000020
【図１７Ｃ】
2008011263.tif 000021
【図１８】
2008011263.tif 000022
【図１９】
2008011263.tif 000023
【図２０】
2008011263.tif 000024